(57)【要約】【課題】  その生産量の多少にかかわらず、簡便安価で▲高▼品質▲高▼機能及び▲高▼收率に健苗育成と促成栽培をなす農作物の健苗育成と促成栽培方法及びその装置の供給。【解決手段】  外部環境を隔絶して農作物の播種、発芽、育成をなす育苗環境ハウス施設化と、育成された苗を促成栽培して収穫をなす促成栽培環境ハウス施設化とからなり、これらハウス施設化内にはその▲高▼さ方向及び幅方向に適宜の段差と間隔を以て、且その長さ方向の適宜位置には噴霧具が設けられた噴霧誘導管が配位され、その他端には分流器と連結され而もそのＰＨ値が５．０乃至６．５の次亜塩素酸ナトリウムが１０乃至３０００ｐｐｍの濃度に希釈された次亜塩素酸ナトリウム水溶液生成装置と、この次亜塩素酸ナトリウム水溶液を噴霧誘導管に加圧移送させる加圧ポンプとが連結された装置。【選択図】図３
2015073533.tif 000002
【特許請求の範囲】
【請求項１】
外部環境を隔絶して農作物の播種、発芽、育成をなす育苗環境ハウス施設化と、育成された苗を移植、定植して促成栽培をなす促成栽培環境ハウス施設化とからなり、これらハウス施設化内の▲高▼さ方向及び幅方向に適宜の段差と間隔を以て、且その長さ方向の適宜位置には噴霧具が設けられた噴霧誘導管が配位されたうえ、その他端には分流器と連結され而もそのＰＨ値が５．０乃至６．５の次亜塩素酸ナトリウムが１０乃至３０００ｐｐｍの濃度に希釈された次亜塩素酸ナトリウム水溶液生成装置と、この次亜塩素酸ナトリウム水溶液を噴霧誘導管によりハウス施設化内全面に加圧噴霧させる加圧ポンプとに連結された構成からなる農作物の健苗育成と促成栽培装置。
【請求項２】
育苗環境ハウス施設化と促成栽培環境ハウス施設化とが連接形成される場合に、促成栽培環境ハウス施設化内の▲高▼さ方向及び幅方向に適宜の段差と間隔を以て配位される噴霧誘導管の他端が育苗環境ハウス施設化内の▲高▼さ方向及び幅方向に適宜の段差と間隔を以て配位された噴霧誘導管の後端と連結されてなる、請求項１記載の農作物の健苗育成と促成栽培装置。
【請求項３】
育苗環境ハウス施設化内の適宜▲高▼さ位置に設けた配置棚に播種トレー内に培養土を充填のうえ均等に播種させた該播種トレー全面に、そのＰＨ値が５．０乃至６．５で次亜塩素酸ナトリウムが１０乃至３０００ｐｐｍに希釈された次亜塩素酸ナトリウム水溶液を噴霧し、防病と防虫並びに施水クラスターの細分化により積極的な吸水と且施肥の吸収を▲高▼めて早期の発芽と健苗育成をなす、農作物の健苗育成と促成栽培方法。
【請求項４】
育苗環境ハウス施設化内で健苗育成された苗を、配置棚を撤去のうえ育成環境ハウス施設化内に移植し定植したうえ、次亜塩素酸ナトリウム水溶液の噴霧により防病防虫と積極的吸水と施肥の吸収とにより促成栽培をなす、農作物の健苗育成と促成栽培方法。
【発明の詳細な説明】
【技術分野】
【０００１】  本発明は栽培量の多少に不拘らず簡便安価に▲高▼品質▲高▼機能で▲高▼收率に健苗育成と促成栽培をなす農作物の栽培方法及びその装置に関するものである。
【背景技術】
【０００２】  農作物を▲高▼品質、▲高▼機能で且▲高▼收率に栽培するためには、栽培農作物の育成に適合した育苗環境と促成栽培環境とが要請されるもので、本来的には栽培する農作物の種子を防病や防虫及び施水と施肥を積極的に吸水吸収させて健苗育成をなし、この苗を移植や定植し促成栽培のうえ収穫することにある。
ところで農作物の栽培生産も経済成長に伴い多量生産と多量販売が要請されるに至ったものの、農産物の多量生産は一重に健苗な苗の多量育成に他ならず、これがためには苗の育成に適合した育苗環境と促成栽培環境との維持管理にある。
そして育苗環境は農作物の育苗に適合した育苗条件即ち防病や防虫と施水施肥を積極的に吸水吸収せしめて均質な健苗育成と、この健苗を降霜、降雪、降雨、風害、冷害等の育成阻害から保護して促成栽培を促進せしめる促成栽培環境とを管理することにより多量生産化の実現がなされてきた。【０００３】  加えて、促成栽培環境においても自然の気象条件下での農作物の促成栽培の阻害要因となる降霜、降雪、降雨、風害、冷害や虫害及び鳥害等を防止するうえからビニールトンネルやビニールハウ等のハウス施設化を積極的に採用し農作物の多量生産化に対処して来ている。
而し乍らかかる農作物の多量生産化への対処は、他産業では早くから国際化、情報化、革新化への経営や経済変革をなして企業維持を図って来ているものの、農業や畜産業は漫然と旧来の保護政策や関税保護に乗じて国際化や情報化及び革新化にも何等対処をなさぬまま現在に至っている。そして我が国のかかる事情にも不拘らずアジア太平洋諸国間を初め、ＥＵ諸国間やアジア諸国二国間等との間にも保護政策や関税撤廃による新たな経済貿易協定締結化が切迫しており、このままでは我が国の農業では略８０乃至９０％以上に亘り更に畜産業においても略５０乃至６０％以上の事業継続不能が指摘されるに至っている。【０００４】  ところで我が国の農業は比較的土壌環境や栽培環境に恵まれており、加えて農作業者の栽培技術も▲高▼度な技術を保有している。そして経済成長とともに農作物の多量出荷が要請されるに際し、食品加工業者の如く年間を通して安定した農作物の多量消費への対処としては土壌環境と栽培環境条件を人工的に形成しえる植物工場等を▲高▼額投資で立設せしめて安定供給による採算を創出せしめ、更には生産規模の比較的大きな中堅農業者は生産農作物を利益創出しえる販路を有する流通業者等と生産委託契約を締結し、この契約より採算面の確保を図っている。
しかしながら農業生産者の大半を占める中小農業生産者においては、その栽培農作物の採算は専ら青果市場の競りで決定されるため、供給と需要のバランス如何では原価採算を割り込む危険も多々発生している。そしてかかる青果市場への競りも協同組合等が介在し、且栽培農作物の生産量の見込みも何等の裏付けも無く、このままでは安価な海外農作物の流入とも相俟って中小農業生産者は遠からず壊滅する結果を迎える。【０００５】  他方、かかる状況への対処策として、果物生産農家において展開されてなる手段として、静岡県磐田市周辺の日本メロンや、更には今年では石狩市の日本メロンも、▲高▼品質化や旨さ等▲高▼機能が評価されて多量に購買がなされる中近東諸国に積極的に販売展開をなし即ちこれにより十分な利益を得るに至っている。即ちこのことは我が国の農業も単に目先の国内市場と且旧来からの競りに依存せず国際化時代における国際市場において、その▲高▼品質性や▲高▼機能性或いは安全性等を評価しえるマーケットの把握と、このマーケットから要請される農作物の生産量や品質、旨さ機能等に基づく栽培農作物の栽培。即ち農業といえども作った物を売るから、売れる物を栽培する農業経営に変えねばならない。そして当然にかかる農業経営においては国際市場における▲高▼品質、▲高▼機能或いは安全性等に対処しえることが不可欠で、これがためには特に中小農業生産者が省化した播種、発芽、健苗育成に係る育苗栽培の基本技術の再構築と移植、定植による促成栽培の安定促進手段とを確立することが不可欠要件とされるに至っている。【０００６】  これがためには簡便安価に播種、発芽、育苗に際して防病や防虫に加えて施水施肥の積極的な吸水吸収により均等で▲高▼い発芽率で健苗育成させるために播種全面に亘ってその濃度が１０乃至３０００ｐｐｍでＰＨ値が５．０乃至６．５の次亜鉛素酸ナトリウム水溶液を所容量で均等に噴霧せしめ、更には健苗育成を阻害する降霜、降雪、降雨、風害、寒冷や防鳥等を図るためにハウス施設化をなし、加えて健苗育成された苗を移植、定植する促成栽培環境として移植、定植された苗に施水施肥による更なる積極的吸水吸収と防病と防虫による促成栽培されるためのハウス施設化を施すことにより実現可能なることを究明し本発明に至った。
【発明の開示】
【発明が解決しようとする課題】
【０００７】  本発明は市場で要請される農作物を、その生産量の多少にかかわらず簡便安価で▲高▼品質▲高▼機能及び▲高▼収率に健苗育成と促成栽培をなす、農作物の健苗育成と促成栽培方法及びその装置の提供にある。
【課題を解決するための手段】
【０００８】  上述の課題を解決するために本発明が用いた技術的手段は、気候変動による育苗障害を防止するうえから、育苗環境として変動の激しい気候条件から播種、発芽、育苗を保護するため育苗環境全体をビニールハウス等のハウス施設化で包被したうえ、この育苗環境内に、適宜の▲高▼さ位置に培養土が充填された播種トレーが多数蜜に配列され、且この育苗環境内では播種した農作物の種子への防病や防虫と発芽及び育苗を促進するうえから、施水のクラスターを細分化せしめて積極的な吸水と併せて施肥の吸収をなさしめるため、ハウス施設の一側には、そのＰＨ値が５．０乃至６．５の次亜塩素酸ナトリウムが１０乃至３０００ｐｐｍの濃度に希釈された次亜塩素酸ナトリウム水溶液生成装置と、この次亜鉛素酸ナトリウム水溶液を広容積の育苗環境及び促成栽培環境内全体に亘って均等に分散噴霧させるための加圧移送ポンプとが連結されている。【０００９】  そしてこの加圧移送ポンプには育苗環境内全体若しくは促成栽培環境内全体に均等に施水噴霧しえるよう▲高▼さ方向及び幅方向に適宜の段差と間隔を以て配位され、且比較的細径の噴霧誘導菅が分流器を介して連結され更にこの噴霧誘導管の適宜長さ方向には、その噴霧量を調整しえる噴霧具（アトマイザー）が適宜数設けられている。加えてこの育苗環境内において健苗育成された苗は、ハウス施設化された促成栽培環境内において移植若しくは定植されたうえ、より施水クラスターを細分化ならしめ且防病性、防虫性を▲高▼めた次亜塩素酸ナトリウム水溶液を積極的に吸水せしめて、以て短期に促成栽培が図られる。かかる場合に育苗環境内において所望の健苗に育成されたうえ、その促成栽培量が比較的少ない場合には育苗環境内の土壌に移植や定植をさせて促成栽培も可能であるが、促成栽培量が多量に亘る場合には別に設けた促成栽培環境内に移植や定植させて促成栽培がなされる。【００１０】  本発明における育苗栽培や促成栽培においては、育苗環境所望の培養土が充填された播種トレー内に、栽培すべき農作物の種子を播種するものであるが、発芽を促進せしめるうえからは予め所要濃度の次亜塩酸ナトリウム水溶液に浸漬のうえ播種させることが著しく好適である。
そして播種後の発芽及び育苗までは病菌や病害虫による被害も多く、且農作物の種類によっても病害や病害虫の被害も変動するが、次亜塩素酸ナトリウム水溶液の濃度調整により防病や防虫はもとより施水の細分化により積極的吸水と施肥の吸収がなされ、健苗育成が促進される。更にハウス施設化においては近年の如くハウス施設内が夏期に異常▲高▼温化し、度々農作物の▲高▼温障害が発生するが、これの対処として次亜塩素酸ナトリウム水溶液をその噴霧具なるアトマイザーにより、ハウス施設内面に向かって上方に分散噴霧させることにより、ハウス施設内の気化熱剥脱により降温度化も実現される。【００１１】  そして次亜塩素酸ナトリウム水溶液は噴霧とともに空気中に浮遊若しくは農作物に付着する病菌、病虫、有機物ガス等と即時に反応のうえ無害化するため、特に農作物の如く食品の安全性保持には著しく優れている。
加えて育苗環境において均等な防病、防虫及び施水の吸収促進により健苗化がなされるため、引続きなされる促成栽培環境においてもハウス施設化により栽培環境が保護され且施水に際しても次亜塩素酸ナトリウム水溶液の▲高▼濃度化により防病や防虫作用ばかりか施水クラスターの細分化により積極的な吸水がなされ促成栽培も格段に向上する。
【発明を実施するための最良の形態】
【００１２】  育苗環境及び促成栽培環境がハウス施設化され、且この育苗環境並びに促成栽培環境にはそのＰＨ値が５．０乃至６．５の次亜塩素酸ナトリウムが１０乃至３０００ｐｐｍの濃度に加水されてなる次亜塩素酸ナトリウム水溶液と適宜の肥料とを全面に亘って均等に噴霧、粉散せしめ健苗育成をなし且この健苗化された苗を促成栽培環境に移植、定植し更にはやや▲高▼濃度の次亜塩素酸ナトリウム水溶液による施水クラスターの細分化と肥料とを全体に亘って均等に噴霧、粉散させ積極的に吸水吸肥され促成栽培がなされる。
【実施例１】
【００１３】  以下に本発明の実施例を図とともに詳細に説明すれば、図１は育苗環境及び促成栽培環境の連接見取図であって、育苗環境１は図２に示すように所望する農作物の種子４Ｃを所要の内容積の播種トレー４Ａ内に適宜の培養土４Ｂを充填のうえ全体に亘って均等に播種するものでこの播種、発芽、育苗については比較的内容積の小さな播種トレー４Ａでも多量に発芽、育苗できるため、通常は施水や施肥その他の管理等の作業が簡便容易になしえるよう適宜▲高▼さの配置棚４を設けて、その上面に密接配置させて育成がなされる。
そしてかかる育苗環境１のハウス施設化１Ａは変動の激しい外部気候条件を隔絶して、育成力の脆弱な播種、発芽、育苗に際して防病や防虫はもとより、施水自体のクラスターを細分化せしめて積極的な吸水と併せて施肥分の吸収とにより健苗育成を図るうえから、ハウス施設化１Ａにより包被密閉化された育成環境１内にそのＰＨ値が５．０乃至６．５で且次亜塩素酸ナトリウム分の濃度が１０乃至３０００ｐｐｍの次亜塩素酸ナトリウム水溶液３Ｃを噴霧充填させる必要上からによる。【００１４】  さらにこの次亜塩素酸ナトリウム水溶液３Ｃを育成環境１内全体に亘って均等に噴霧させるうえからは、図３及び図４において明らかな如く、育苗環境１のハウス施設化１Ａ内の▲高▼さ方向及び幅方向には適宜の段差と間隔を以て、その長さ方向の適宜位置には噴霧具（アトマイザー）３Ｂが設けられた噴霧誘導管３Ａが配位されるが、その具体的配位数は育苗環境１を包被するハウス施設化１Ａの内容積により決定される。
即ち一般的な育成環境１を包被するハウス施設化１Ａや、促成栽培環境２を包被するハウス施設化２Ａは、通常ビニールハウスが転用できることからビニールハウスの内容積を考慮することで配位数も特定できるもので、ビニールハウスの場合では間口略４乃至６ｍ、▲高▼さ略２．１乃至２．８ｍ、及び奥行としては農作物によっても異るが、概ね１８乃至３０ｍ程度である。【００１５】  そして本発明により防病、防虫はもとより育成健苗化や促成栽培促進化のための次亜塩素酸ナトリウム水溶液３Ｃの施水には、播種トレー４Ａ全面に亘って若しくは促成栽培環境２に移植され定植された健苗全体に亘って噴霧させるものであって、かかる噴霧は図３のＡに示すように育苗環境ハウス施設化１Ａや促成栽培ハウス施設化２Ａ内の▲高▼さ方向及び幅方向に所望の段差と間隔で配位され、且その長さ方向の所要間隔毎に設けられる噴霧具（アトマイザー）３Ｂによりなされる。加えて噴霧具（アトマイザー）３Ｂの噴霧量は該噴霧具（アトマイザー）３Ｂの噴霧孔径と噴霧圧力によって決定されるが噴霧粒径が略７乃至１０μｍの噴霧の場合で噴霧圧力０．２５Ｍｐａでは２．３ｌ／ｈｒ、噴霧圧力０．３Ｍｐａでは２．５ｌ／ｈｒ、及び０．４Ｍｐａでは２．６ｌ／ｈｒである。更にかかる噴霧具（アトマイザー）３Ｂを扇形噴霧ノズルを採用することにより、図３のＢに示すように噴霧ノズル位置より略５０ｃｍ下方の位置即ち距離ａでは噴霧拡散範囲が直径で略ａ即ち１５０ｃｍ程度に、また噴霧ノズル位置より略１００ｃｍ下方の位置即ち距離ｂでは噴霧拡散範囲が直径で略ｂの３００ｃｍ程度に拡散される。【００１６】  かくして育苗環境ハウス施設化１Ａ内の▲高▼さ方向及び幅方向には適宜の段差と間隔をもって、且その長さ方向の適宜位置には噴霧具（アトマイザー）３Ｃが設けられた噴霧誘導管３Ａには育苗環境１において播種、発芽、育成に際して防病、防虫に加えて施水のクラスターを細分化せしめて、積極的な吸水と且施肥の吸収とにより健苗育成を図るために、そのＰＨ値が５．０乃至６．５で次亜塩素酸ナトリウムが１０乃至３０００ｐｐｍの濃度に希釈されてなる次亜塩素酸ナトリウム水溶液３Ｃを加圧移送させる噴霧誘導管３Ａの端縁には、ハウス施設化１Ａの間口外側若しくは内側に該噴霧誘導管３Ａ内に十分な噴霧量を以て加圧移送させる加圧ポンプ５が配置されてなるとともに、この加圧ポンプ５にはそれぞれの噴霧誘導管３Ａ内に均等に分流させるための分流器３が介在されている。【００１７】  かかる場合に図４で理解される如く、間口が略４ｍのハウス施設化１Ａ内には▲高▼さ方向及び幅方向に配位される噴霧誘導管３Ａと、該噴霧誘導管３Ａの略３ｍ毎に設けられる噴霧具（アトマイザー）３Ｂは、ハウス施設化１Ａの長さが仮に３０ｍでも１噴霧誘導管３Ａ当り略１０基が設けられるため全体量としては略９０基が設けられ、且噴霧具（アトマイザー）３Ｂ１基当りの噴霧圧力が０．４Ｍｐａの場合では２．６ｌ／ｈｒであるから噴霧誘導管３Ａ１本当り２６ｌ／ｈｒ以上の加圧移送量が望まれる。してみると噴霧誘導管３Ａはその直径において１０ｍｍで略２８０ｌ／ｈｒ、２０ｍｍでは略１１３０ｌ／ｈｒの加圧移送量が移送され実用使用に適合する。
そして当然乍らこれら噴霧誘導管３Ａ全体には分流器３を介して分流加圧移送されるのであるから、該分流器３に連接される加圧ポンプ５は、少なくとも２８０ｌ／ｈｒから１１３０ｌ／ｈｒの加圧移送量以上の能力のものが用いられる。
加えて留意すべきは該噴霧誘導管３Ａ内には有機物や無機物等と反応性の▲高▼い次亜塩素酸ナトリウム水溶液３Ｃが加圧移送されることから、該噴霧誘導管３Ａの素材としては金属素材としてステンレススチール、及び合成樹脂素材としてはポリエステル系やポリオレフィン系合成樹脂管材が望まれる。【００１８】  而してこれら多数本亘って配位される噴霧誘導管３Ａの端縁は加圧移送ポンプ５から分流器３を介して連結されているもので、当然に該分流器３はそれぞれに連結される噴霧誘導管３Ａに均等に分流される構造であることは当然である。そしてかかる加圧移送ポンプ５に次亜塩素酸ナトリウムに乳酸や塩酸等を作用させて、そのＰＨ値を５．０乃至６．５に保持させることにより防病性や防虫性はもとより、水分子クラスターを細分化させること及び使用安全性を著しく▲高▼めるうえからは該次亜塩素酸ナトリウムが少なくとも１０ｐｐｍから最大で３０００ｐｐｍとなるよう加水希釈させた次亜塩素酸ナトリウム水溶液３Ｃとなす、次亜塩素酸ナトリウム水溶液生成装置６が連結されている。【００１９】  本発明では▲高▼品質▲高▼機能の農産物を▲高▼收率で収穫するため育苗環境１においては播種した種子の防病、防虫と且施水クラスターの細分化により積極的吸水と施肥の吸収により健苗育成を促進させ、この健苗を更に促成栽培環境２において移植、定植し且より強力な防病や防虫はもとより施水クラスターの一段の細分化により積極的吸水と且施肥の吸収とを促進せしめて促成栽培環境２による収穫をなすものである。
この促成栽培環境２は多量の農作物の栽培と収穫に際しては、促成栽培環境２にハウス施設化２Ａを施し促成栽培を行うが栽培量が少ない場合では育苗環境１のハウス施設化１Ａ内の配置棚４を撤去せしめたうえ、このスペースに移植、定植させて促成栽培することも可能である。【００２０】  かかる場合に育苗環境１はもとより促成栽培環境２においても、当然に防病、防虫並びに施水クラスターの細分化による積極的な吸水と施肥の吸着を図るうえから次亜塩素酸ナトリウム水溶液３Ｃが噴霧されるもので、図１の如く育苗環境１と促成栽培環境２が連接された場合では、育苗環境１のハウス施設化１Ａ内に配位されてなる噴霧誘導管３Ａの端末と、連接する促成栽培環境２のハウス施設化２Ａ内に▲高▼さ方向及び幅方向に所要の間隔で配位されるそれぞれの噴霧誘導管３Ａの端末とを連結して噴霧させれば良い。
更に新たに促成栽培環境２が立設された場合には、該促成栽培環境２のハウス施設化２Ａ内にその▲高▼さや幅方向に適宜間隔で、且長さ方向に所要の間隔で噴霧具（アトマイザー）３Ｂが設けられた噴霧誘導管３Ａの端縁には分流器３を介して加圧ポンプ５が設けられ而もこの加圧ポンプ５にはそのＰＨ値が５．０乃至６．５で次亜塩素酸ナトリウムが１０乃至３０００ｐｐｍに希釈された次亜塩素酸ナトリウム水溶液生成装置６が連結された構成で良い。【００２１】  以下に本発明の育苗環境における健苗育成に関連する発芽率テスト、滅菌テスト、及び育成テストについて述べれば、育苗環境ハウス施工化のスペースは間口５．４ｍ▲高▼さ２．７ｍ長さ３６ｍでその地表１ｍの位置に配置棚が設けられ、且この育苗環境ハウス施工化内には▲高▼さ方向及び幅方向に段差を以てその口径が１０ｍ／ｍの噴霧誘導管を９本配位させ、而もその長さ方向には全長の半分の範囲で３ｍ毎に噴霧具（アトマイザー）を設け、残余の部分は未設置で未噴霧範囲とした。
先ず発芽性の悪い野菜としてルバーブ、ミツバ、及びパセリの３種について施水に３０ｐｐｍの濃度の次亜塩素酸ナトリウム水溶液と水のみの施水を噴霧して２０日間における発芽率を視覚判断した結果は表１の通りであった。【００２２】
【表１】
2015073533.tif 000003
【００２３】  次に、はつかダイコンと大豆における一般生菌数の滅菌テスト結果を水洗いのみと次亜塩素酸ナトリウム３０ｐｐｍ及び１００ｐｐｍ水溶液で洗浄した場合の残留一般生菌数は表２の通りである。【００２５】
【表２】
2015073533.tif 000004
【００２４】  更にかかるはっか大根とダイズについて、施水のみ及び次亜鉛素酸ナトリウム３０ｐｐｍ並びに１００ｐｐｍ水溶液を噴霧のうえ健苗育成させた結果を健苗草丈と収量を測定して判断したものでその結果は表３の通りであった。【００２５】
【表３】
2015073533.tif 000005
【産業上の利用可能性】
【００２６】    所要スペースの育苗環境ハウス施設化及び促成栽培環境ハウス施設化内に、そのＰＨ値が５．０乃至６．５の次亜塩素酸ナトリウムを１０乃至３０００ｐｐｍに希釈させた次亜塩酸ナトリウム水溶液が全面に亘って噴霧しえるよう噴霧誘導管が配位され、且この噴霧誘導管に噴霧具（アトマイザー）が設けられてなるため播種トレーに所望の農作物の種子を播種し、次亜塩素酸ナトリウム水溶液による施水と施肥のみで健苗育成が可能。
【図面の簡単な説明】
【００２７】
【図１】  育苗環境ハウス施設化及び促成栽培環境ハウス施設化の連接見取図である。
【図２】  播種トレーの説明図である。
【図３】  育苗環境ハウス施設化の内部説明図である。
【図４】  噴霧誘導管の配位説明図である。
【図５】  促成栽培環境ハウス施設化の内部説明図である。
【符号の説明】
【００２８】    １      育苗環境
１Ａ    育苗環境ハウス施設化
２      促成栽培環境
２Ａ    促成栽培環境ハウス施設化
３      分流器
３Ａ    噴霧誘導管
３Ｂ    噴霧具（アトマイザー）
３Ｃ    次亜塩素酸ナトリウム水溶液
４      配置棚
４Ａ    播種トレー
４Ｂ    培養土
４Ｃ    種子
５      加圧移送ポンプ
６      次亜塩素酸ナトリウム水溶液生成装置
【図１】
2015073533.tif 000006
【図２】
2015073533.tif 000007
【図３】
2015073533.tif 000008
【図４】
2015073533.tif 000009
【図５】
2015073533.tif 000010